(57)【要約】      （修正有）【課題】操作ボタンへの近接で、運転時間の伸縮に影響を与える初期状態をもとにボタンが示すコースの運転参考情報を表示する表示装置を提供する。【解決手段】コースボタンを表示する液晶タッチパネル１０２と、各コースで運転した場合の運転時間の伸縮に影響を与える情報を取り寄せる初期状態収集部１０３と、液晶タッチパネル１０２に表示されるコースボタンへの使用者の近接を検知する近接検知部１０４と、近接検知部１０４により特定のコースボタンへの近接検知時に初期状態収集部１０３からの収集情報に基づいて推定される該コースの運転時間を報知する報知部１０８とを備えることで、初期状態をもとに、表示したコースボタンに対応するコースの運転時間を、使用者の近接により報知し、使用者がコース選択をする際に最も参考としたい運転時間に関する情報を提示できる。【選択図】図１
2014215799.tif 000002
【特許請求の範囲】
【請求項１】
複数のコースのうち任意のコースに従って運転する機器のコースを選択するためにコースごとに対応したコースボタンを表示する表示部と、
それぞれのコースに従って運転した場合の運転開始から終了までに費やされる運転時間の伸縮に影響を与える情報を取り寄せる初期状態収集部と、
前記表示部に表示されるコースボタンに対する使用者の近接を、該使用者による近接入力として検知する近接検知部と、
前記近接検知部により特定のコースボタンへの近接入力が検知された場合に、前記初期状態収集部により取り寄せられた情報に基づいて推定される該コースボタンに対応するコースの運転時間を報知する報知部と、
を備える表示装置。
【請求項２】
前記報知部は、前記近接検知部により特定のコースボタンへの近接入力が検知された場合に、該コースボタンに対応するコースに関する運転内容を報知する請求項１記載の表示装置。
【請求項３】
前記表示部に表示されるコースボタンの表示順序を決めるための項目を入力する入力部を備え、前記入力部により入力された項目に基づいて、前記表示部に表示されるコースボタンの表示配列を並び替える請求項１または２記載の表示装置。
【請求項４】
前記報知部は、前記入力部により入力された項目に基づいて、報知方法を可変とする請求項１から３のいずれか１項に記載の表示装置。
【請求項５】
請求項１から４のいずれか１項に記載の表示装置を備えた家電機器。
【請求項６】
複数のコースのうち任意のコースに従って運転する機器のコースを選択するためにコースごとにコースボタンを表示部に表示する表示ステップと、
それぞれのコースに従って運転した場合の運転開始から終了までに費やされる運転時間の伸縮に影響を与える情報を取り寄せる初期状態収集ステップと、
前記表示部に表示されるコースボタンに対する使用者の近接を、該使用者による近接入力として検知する近接検知ステップと、
前記近接検知ステップにより特定のコースボタンへの近接入力が検知された場合に、前記初期状態収集ステップにより取り寄せられた情報に基づいて推定される該コースボタンに対応するコースの運転時間を報知する報知ステップと、
を含む表示方法。
【請求項７】
コンピュータに、
複数のコースのうち任意のコースに従って運転する機器のコースを選択するためにコースごとにコースボタンを表示部に表示させる表示ステップと、
それぞれのコースに従って運転した場合の運転開始から終了までに費やされる運転時間の伸縮に影響を与える情報を取り寄せる初期状態収集ステップと、
前記表示部に表示されるコースボタンに対する使用者の近接を、該使用者による近接入力として検知する近接検知ステップと、
前記近接検知ステップにより特定のコースボタンへの近接入力が検知された場合に、前記初期状態収集ステップにより取り寄せられた情報に基づいて推定される該コースボタンに対応するコースの運転時間を報知する報知ステップと、
を実行させるためのプログラムを記録したコンピュータ読み取り可能な記録媒体。
【発明の詳細な説明】
【技術分野】
【０００１】
本発明は、機器の運転に関して使用者からの入力を受け付けるための表示画面を備えた表示装置に関するものである。
【背景技術】
【０００２】
近年、様々な入力形態の入力装置が電子機器に搭載されるようになっている。特に、カラー液晶パネルなどの表示装置と、位置入力装置とを組合せた入力装置である、いわゆるタッチパネルを搭載した電子機器が増えている。
【０００３】
このタッチパネルは、使用者の直感的な操作により入力を行うことができるため、自動券売機、カーナビゲーション装置、スマートフォンなどの製品の入力装置として採用されている。
【０００４】
一方で、入力部への操作方法に応じて表示する情報や処理を変更するものもあり、指がボタンに接近したことを検出するとそのボタンに割り当てられた機能に関する情報を表示し、ボタンが押し下げられると機能を実行する表示装置があった（例えば、特許文献１参照）。
【０００５】
また、操作ボタンへの接近、接触、半押しを検知して各々に応じた画像を形成し、使用者の指が操作ボタンに接近したことを検知した場合にはその操作ボタンに対応したヘルプメッセージを表示する表示装置があった（例えば、特許文献２参照）。
【先行技術文献】
【特許文献】
【０００６】
【特許文献１】特開２００３−２２３２６５号公報
【特許文献２】特開２００４−０５３８６１号公報
【発明の概要】
【発明が解決しようとする課題】
【０００７】
しかしながら、従来の表示装置には、操作ボタンへの近接で、運転時間の伸縮に影響を与える初期状態をもとにボタンが示すコースの運転参考情報を表示するものはなかった。
【０００８】
本発明は、前記従来の課題を解決するもので、運転時間の伸縮に影響を与える初期状態をもとに、表示したコースボタンに対応するコースの運転時間を、使用者の近接により報知し、使用者がコース選択をする際に最も参考としたい運転時間に関する有効情報を提示できる、表示装置を提供することを目的とする。
【課題を解決するための手段】
【０００９】
前記従来の課題を解決するために、本発明の表示装置は、複数のコースのうち任意のコースに従って運転する機器のコースを選択するためにコースごとに対応したコースボタンを表示する表示部と、それぞれのコースに従って運転した場合の運転開始から終了までに費やされる運転時間の伸縮に影響を与える情報を取り寄せる初期状態収集部と、前記表示部に表示されるコースボタンに対する使用者の近接を、該使用者による近接入力として検知する近接検知部と、前記近接検知部により特定のコースボタンへの近接入力が検知された場合に、前記初期状態収集部により取り寄せられた情報に基づいて推定される該コースボタンに対応するコースの運転時間を報知する報知部とを備えるようにしたものである。
【００１０】
これによって、運転時間の伸縮に影響を与える初期状態をもとに、表示したコースボタンに対応するコースの運転時間を、使用者の近接により報知し、使用者がコース選択をする際に最も参考としたい運転時間に関する情報を提示する表示装置とすることができる。
【発明の効果】
【００１１】
本発明の表示装置は、運転時間の伸縮に影響を与える初期状態をもとに、表示したコースボタンに対応するコースの運転時間を、使用者の近接により報知するので、使用者がコース選択をする際に、選択候補としているいくつかのコースについて指を近づけるだけで、運転時間が参考情報として入手でき、運転に許容できる時間と提示された運転時間を勘案しながらコース選択できる表示装置とすることができる。
【図面の簡単な説明】
【００１２】
【図１】本発明の実施の形態１における表示装置の構成を示すブロック図
【図２】同表示装置を備えた洗濯乾燥機の外観斜視図
【図３】同表示装置の動作の流れを示すフロー図
【図４】（ａ）同表示装置の表示の一例を示す図（ｂ）同表示装置の「おまかせコース」ボタンへの近接入力が検知された場合の表示の一例を示す図（ｃ）同表示装置の「お急ぎコース」ボタンへの近接入力が検知された場合の表示の一例を示す図
【図５】（ａ）本発明の実施の形態２における表示装置のコースボタンの表示配列を並び替える前の特定のコースボタンへの近接入力が検知された場合の表示の一例を示す図（ｂ）本発明の実施の形態２における表示装置のコースボタンの表示配列を並び替えた後の「おまかせコース」ボタンへの近接入力が検知された場合の表示の一例を示す図（ｃ）本発明の実施の形態２における表示装置のコースボタンの表示配列を並び替えた後の「念入りコース」ボタンへの近接入力が検知された場合の表示の一例を示す図
【図６】同表示装置の入力部により入力された項目に基づいてコースボタンの表示配列を並び替える動作の流れを示すフロー図
【図７】本発明の実施の形態３における表示装置の構成を示すブロック図
【発明を実施するための形態】
【００１３】
第１の発明は、本発明の表示装置は、複数のコースのうち任意のコースに従って運転する機器のコースを選択するためにコースごとに対応したコースボタンを表示する表示部と、それぞれのコースに従って運転した場合の運転開始から終了までに費やされる運転時間の伸縮に影響を与える情報を取り寄せる初期状態収集部と、前記表示部に表示されるコースボタンに対する使用者の近接を、該使用者による近接入力として検知する近接検知部と、前記近接検知部により特定のコースボタンへの近接入力が検知された場合に、前記初期状態収集部により取り寄せられた情報に基づいて推定される該コースボタンに対応するコースの運転時間を報知する報知部とを備えることで、運転時間の伸縮に影響を与える初期状態をもとに、表示したコースボタンに対応するコースの運転時間を、使用者の近接により報知し、使用者がコース選択をする際に最も参考としたい運転時間に関する情報を提示する表示装置とすることができる。
【００１４】
第２の発明は、特に、第１の発明の報知部は、前記近接検知部により特定のコースボタンへの近接入力が検知された場合に、該コースボタンに対応するコースに関する運転時間以外の運転内容も報知するので、使用者がコース選択をする際に別の運転内容も参考にしながら運転時間に関する情報をもとに機器のコースを選択できる表示装置とすることができる。
【００１５】
第３の発明は、特に、第１または第２の発明の表示装置は、前記表示部に表示されるコースボタンの表示順序を決めるための項目を入力する入力部を備え、前記入力部により入力された項目に基づいて、前記表示部に表示されるコースボタンの表示配列を並び替える
ことにより、使用者がコース選択をする際に最も参考としたい運転時間に関する情報をもとに使用者が優先する情報順に選択しやすい表示装置とすることができる。
【００１６】
また、第４の発明は、特に、第１〜第３のいずれかの発明の表示装置の報知部は、前記入力部により入力された項目に基づいて、報知方法を可変とすることにより、使用者がコース選択をする際に最も参考としたい運転時間に関する情報を表示だけでなく音声などでも報知することで、よりわかりやすい表示装置とすることができる。
【００１７】
さらに、第５の発明は、特に、第１〜第４のいずれかの発明の表示装置を備えた例えば洗濯機、加熱調理器などの家電機器とすることで、使用者がコース選択をする際に最も参考としたい運転時間に関する情報を提示して使用者の都合に合わせてコース選択のしやすい家電機器とすることができる。
【００１８】
第６の発明は、複数のコースのうち任意のコースに従って運転する機器のコースを選択するためにコースごとにコースボタンを表示部に表示する表示ステップと、それぞれのコースに従って運転した場合の運転開始から終了までに費やされる運転時間の伸縮に影響を与える情報を取り寄せる初期状態収集ステップと、前記表示部に表示されるコースボタンに対する使用者の近接を、該使用者による近接入力として検知する近接検知ステップと、前記近接検知ステップにより特定のコースボタンへの近接入力が検知された場合に、前記初期状態収集ステップにより取り寄せられた情報に基づいて推定される該コースボタンに対応するコースの運転時間を報知する報知ステップとを含む表示方法とすることで、液晶タッチパネル以外の、表示部や近接検知部や接触検知部でも使用者がコース選択をする際に別の運転内容も参考にしながら運転時間に関する情報をもとに機器のコースを選択できる表示装置とすることができる。
【００１９】
第７の発明は、コンピュータに、複数のコースのうち任意のコースに従って運転する機器のコースを選択するためにコースごとにコースボタンを表示部に表示させる表示ステップと、それぞれのコースに従って運転した場合の運転開始から終了までに費やされる運転時間の伸縮に影響を与える情報を取り寄せる初期状態収集ステップと、前記表示部に表示されるコースボタンに対する使用者の近接を、該使用者による近接入力として検知する近接検知ステップと、前記近接検知ステップにより特定のコースボタンへの近接入力が検知された場合に、前記初期状態収集ステップにより取り寄せられた情報に基づいて推定される該コースボタンに対応するコースの運転時間を報知する報知ステップとを実行させるためのプログラムを記録したコンピュータ読み取り可能な記録媒体とすることで、読みだし装置を備えた機器へインターネットなどの通信回線を用いて配信することで、新しい機能の配布・更新やそのインストール作業が簡単にできる。
【００２０】
（実施の形態１）
図１は、本発明の実施の形態１における表示装置の構成を示すブロック図で、図２は、同表示装置を備えた洗濯乾燥機の外観斜視図ある。また、図３は、同表示装置の動作の流れを示すフローチャート、図４は、同表示装置の特定のコースボタンへの近接入力が検知された場合の表示の一例を示す図である。
【００２１】
図１において、表示装置１０１は、報知部１０８を構成する表示部である液晶タッチパネル１０２と、初期状態収集部１０３と、液晶タッチパネル１０２への使用者の近接を検知する近接検知部１０４と、液晶タッチパネル１０２への使用者の接触を検知する接触検知部１０５と、初期状態収集部１０３により取り寄せられた情報を収集する制御手段１０６とを備える。
【００２２】
液晶タッチパネル１０２は、表示部として機能するとともに、近接検知部１０４、接触
検知部１０５と連携することで入力部としても機能する。液晶タッチパネル１０２は、図示していないが、ｘ座標値、ｙ座標値を検出するためにｘ方向とｙ方向に格子状に配置された複数のセンサ電極で構成されており、近接検知部１０４と接触検知部１０５は、液晶タッチパネル１０２への人体（使用者の指）の接触や近接により変化する静電容量の変化量と、変化があった箇所の座標値を検知する。近接の場合よりも接触の場合の方が静電容量の変化量が大きくなるという性質を利用し、近接検知部１０４と接触検知部１０５は、近接閾値と、近接閾値よりも値が大きい接触閾値とを用いて人体の接触および近接を検知する。具体的には、近接検知部１０４と接触検知部１０５は、静電容量の変化量が接触閾値以上となる状態が所定時間（例えば０．２秒）以上続く場合は接触と検知し、近接閾値以上かつ接触閾値未満の状態が所定時間（例えば０．２秒）以上続く場合は近接と検知する。
【００２３】
また、制御手段１０６は、初期状態収集部１０３により取り寄せられた情報に基づいて運転時間を推定する運転時間推定部１０７を備えている。報知部１０８には、液晶タッチパネル１０２以外に、図示しないブザー等を備えている。
【００２４】
また、本実施の形態では図２に示す通り、表示装置１０１を洗濯乾燥機３０１に備えており、洗濯乾燥機３０１には予めいくつかのコースが準備されている（本実施の形態では、「おしゃれ着コース」、「念入りコース」、「おまかせコース」、「お急ぎコース」の４コース）。
【００２５】
「おまかせコース」は、洗濯工程、すすぎ工程、脱水工程、乾燥工程により構成され、全てのコースの基本となるコースであり、洗濯工程、すすぎ工程、脱水工程は、洗濯物量に応じて、各々の工程の標準時間が決まっている。乾燥工程は、図示しない乾燥終了検知手段で乾燥終了を自動で検知するようにしているが、通常２時間程度の時間がかかる。
【００２６】
「おしゃれ着コース」は、洗濯工程、すすぎ工程、脱水工程により構成されるコースであり、デリケートな衣類を痛めないために、洗濯工程とすすぎ工程でぬるま湯を使う。同じ洗濯物量であれば、「おしゃれ着コース」の洗濯工程とすすぎ工程では、前記「おまかせコース」と同じ時間をかけて弱水流で行い、脱水工程は、前記「おまかせコース」より短時間で行い、乾燥工程は、行わない。
【００２７】
ぬるま湯を使う工程では、給水路から取り込んだ水を、図示しない加熱手段により適温まで加熱しながら洗濯槽への給水を行う。
【００２８】
「念入りコース」は、洗濯工程、すすぎ工程、脱水工程、乾燥工程により構成され、同じ洗濯物量であれば、洗濯工程とすすぎ工程については、前記「おまかせコース」と比べ各々長時間で行い、脱水工程、乾燥工程は、前記「おまかせコース」と同じ時間行う。
【００２９】
「お急ぎコース」は、洗濯工程、すすぎ工程、脱水工程、乾燥工程により構成され、同じ洗濯物量であれば、洗濯工程とすすぎ工程と乾燥工程については、前記「おまかせコース」と比べ短時間で行い、脱水工程は、前記「おまかせコース」と同じ時間行う。
【００３０】
「おまかせコース」、「念入りコース」、「お急ぎコース」については、乾燥工程を行うかどうかを使用者が選択できるようになっている。
【００３１】
各々のコースは、運転開始により構成される工程を順次行い、構成される工程を全て実行すると運転終了する。運転時間は、運転開始から運転終了までの時間を指す。
【００３２】
以上のように構成された表示装置１０１について、以下その動作、作用を説明する。図
３に示したように、まず、使用者の指示により液晶タッチパネル１０２にコースボタンを表示させたタイミングで、制御手段１０６は、初期状態収集部１０３に、４つの各コースに従って運転した場合の運転開始から終了までに費やされる運転時間の伸縮に影響を与える情報を収集開始させる（ステップ１、ステップ２）。本実施の形態では、初期状態収集部１０３により収集する情報は、いずれのコースにも共通する投入された洗濯物量と、「おしゃれ着コース」で、ぬるま湯を使用するため給水路温度との２つとして、洗濯槽の蓋が閉じられたタイミングで収集開始するようにした。洗濯物量は、多ければ長時間運転となり、少なければ短時間運転となる。また給水路温度が低ければ使用するぬるま湯温度に到達するまでの時間がかかるため運転時間がかかる。洗濯物量は、重量センサで、給水路温度はサーミスタなどの温度センサを用いて収集する。コースボタンは、例えば、乾燥なしでの運転の場合、図４（ａ）に示したように初期表示する。
【００３３】
次に、近接検知部１０４は、いずれかのコースボタンへの近接があるかどうかをチェックする（ステップ３）。
【００３４】
特定のコースボタンへの近接が検知された場合には、運転時間推定部１０７が、初期状態収集部１０３による初期状態収集が終了していれば初期状態に基づいて運転時間を推定し（ステップ５）、初期状態収集が終了していなければ、予め準備した基準洗濯物量と基準水温により運転時間を推定して、制御手段１０６が、推定された運転時間を報知部１０８を構成する液晶タッチパネル１０２により報知する（ステップ６）。
【００３５】
例えば、乾燥なしの場合は、「おまかせコース」ボタンへの近接が検知された場合は、図４（ｂ）に示したように、そのコースボタンの画像に重ねて、運転時間として５０分と表示し、「お急ぎコース」ボタンへの近接が検知された場合は、図４（ｃ）に示したように、そのコースボタンの画像に重ねて、運転時間として３０分と表示する。
【００３６】
運転時間推定部１０７による運転時間の推定は、洗濯物量に応じた標準運転時間を実験的に求めたものを用いて行うようにした。「おしゃれ着コース」の場合には、洗濯物量に応じた標準運転時間をもとに、使用するぬるま湯の温度に到達する時間を初期状態の給水路温度と洗濯物量から推定し、運転時間を補正する。
【００３７】
また、特定のコースボタンへの接触が検知された場合には（ステップ７）、制御手段１０６は、報知部１０８でボタン受付音を吹鳴して、そのコースの運転を開始する（ステップ８）。
【００３８】
なお、本実施の形態では、洗濯槽の蓋の開から閉変化時に、初期状態収集部１０３で情報を収集開始するようにしたが、初期状態収集開始を指示するボタンを設けて、使用者が初期状態収集開始を起動するようにしてもかまわないし、電源投入時などコースボタン表示の前に行ってもかまわないし、任意のタイミングで行ってもかまわない。
【００３９】
また、本実施の形態では、初期給水路温度を収集するようにしたが、少量注入して水温を収集するなど何らかの処理後に行うようにしてもかまわない。
【００４０】
さらに、本実施の形態では、コースの表示配列は、固定としたが、運転時間推定部１０７が推定する運転時間順に自動的に並べ替えてもかまわない。
【００４１】
以上のように、複数のコースのうち任意のコースに従って運転する機器のコースを選択するためにコースごとに対応したコースボタンを表示する表示部である液晶タッチパネル１０２と、それぞれのコースに従って運転した場合の運転開始から終了までに費やされる運転時間の伸縮に影響を与える情報を取り寄せる初期状態収集部１０３と、液晶タッチパ
ネル１０２に表示されるコースボタンに対する使用者の近接を検知する近接検知部１０４と、近接検知部１０４により特定のコースボタンへの近接入力が検知された場合に、初期状態収集部１０３により取り寄せられた情報に基づいて推定される該コースボタンに対応するコースの運転時間を報知する報知部１０８である液晶タッチパネル１０２を備えることで、初期状態をもとに、表示したコースボタンに対応するコースの運転時間を、使用者の近接により報知し、使用者がコース選択をする際に最も参考としたい運転時間に関する情報を提示できる表示装置とすることができる。
【００４２】
また、表示装置１０１を備えた洗濯機３０１とすることで、使用者がコース選択をする際に最も参考としたい運転時間に関する情報を提示して使用者の外出などの都合などに合わせてコース選択のしやすい家電機器とすることができる。
【００４３】
さらに、複数のコースのうち任意のコースに従って運転する機器のコースを選択するためにコースごとにコースボタンを表示部に表示する表示ステップと、それぞれのコースに従って運転した場合の運転開始から終了までに費やされる運転時間の伸縮に影響を与える情報を取り寄せる初期状態収集ステップと、前記表示部に表示されるコースボタンに対する使用者の近接を、該使用者による近接入力として検知する近接検知ステップと、前記近接検知ステップにより特定のコースボタンへの近接入力が検知された場合に、前記初期状態収集ステップにより取り寄せられた情報に基づいて推定される該コースボタンに対応するコースの運転時間を報知する報知ステップと、を含む表示方法とすることで、プログラムの形態にして、記録媒体に記録したりインターネットなどの通信回線を用いて配信することで新しい機能の配布・更新やそのインストール作業が簡単にできる。
【００４４】
さらに、コンピュータに、複数のコースのうち任意のコースに従って運転する機器のコースを選択するためにコースごとにコースボタンを表示部に表示させる表示ステップと、
それぞれのコースに従って運転した場合の運転開始から終了までに費やされる運転時間の伸縮に影響を与える情報を取り寄せる初期状態収集ステップと、前記表示部に表示されるコースボタンに対する使用者の近接を、該使用者による近接入力として検知する近接検知ステップと、前記近接検知ステップにより特定のコースボタンへの近接入力が検知された場合に、前記初期状態収集ステップにより取り寄せられた情報に基づいて推定される該コースボタンに対応するコースの運転時間を報知する報知ステップと、を実行させるためのプログラムを記録したコンピュータ読み取り可能な記録媒体とすることで、読みだし装置を備えた前記表示装置であれば、使用者がコース選択をする際に最も参考としたい運転時間に関する情報を提示したり、新しい機能の配布・更新やそのインストール作業が簡単にできる。
【００４５】
（実施の形態２）
図５は、本発明の実施の形態２における表示装置のコースボタンの表示配列を並び替えた後の特定のコースボタンへの近接入力が検知された場合の表示の一例を示す図で、図６は、同表示装置の入力部により入力された項目に基づいてコースボタンの表示配列を並び替える動作の流れを示すフローチャートである。構成は、図１と同様である。
【００４６】
図５（ａ）に示したように、液晶タッチパネル１０２には、コースボタン以外に、コースボタンの表示順序を決めるための項目を入力するためのボタン（本実施の形態では、「運転時間」、「洗浄度」）を表示する。
【００４７】
初期状態収集部１０３により運転時間の伸縮に影響を与える情報を収集する動作は、実施の形態１と同様である。同じく図５（ａ）に示したように「運転時間」が押された場合、接触検知部１０５により、「運転時間」ボタンへの接触を検知し、制御手段１０６は、運転時間順に、コースボタンを並べ替える（ステップ１０、１１）。即ち、図５（ｂ）に
示したように、本実施の形態では、運転時間の短い順に、番号を付加して、左上、右上、左下、右下の順に並べ替える。
【００４８】
さらに、特定のコースボタンへの近接が検知された場合には、運転時間推定部１０７が、初期状態収集部１０３による初期状態収集が終了の有無に応じて推定した運転時間を、制御手段１０６が、報知部１０８を構成する液晶タッチパネル１０２により報知する。この時、制御手段１０６は、コースボタンの表示順序を決めるための項目を入力するためのボタンの情報もそのコースに関する運転内容として報知する。コースボタンの表示順序を決めるための項目を入力するためのボタンで、「運転時間」が入力されているので、図５（ｂ）、図５（ｃ）に示したように「運転時間」を優先して報知する（ステップ１２、１３）。本実施の形態では、「洗浄度」は、念入りの場合を１００とした割合で示すようにした。
【００４９】
また、特定のコースボタンへの接触が検知された場合には、実施の形態１と同様に、制御手段１０６は、報知部１０８でボタン受付音を吹鳴して、そのコースの運転を開始する（ステップ１４、１５）。
【００５０】
なお、本実施の形態では、特定のコースボタンへの近接が検知された場合には、運転時間推定部１０７が、初期状態収集部１０３による初期状態収集が終了の有無に応じて推定した運転時間以外に、制御手段１０６が、コースボタンの表示順序を決めるための項目を入力するためのボタンの数分の情報を付加してそのコースに関する運転内容として報知するようにしたが、ボタンの数の情報のいくつかとしてもかまわないし、ボタンの情報以外の例えば運転音など別の情報としてもかまわない。
【００５１】
さらに、本実施の形態では、コースボタンの表示順序を決めるための項目を入力するためのボタンが押された時に、運転時間の短い順に、番号を付加して、左上、右上、左下、右下の順に並べ替えるようにしたが、番号は付加しなくてもよいし、使用者が順序を認識できる任意の配置としてかまわない。
【００５２】
また、本実施の形態では、特定のコースボタンへの近接が検知された場合には、コースボタンの表示順序を決めるための項目を入力するためのボタンに関する情報を優先して１番目に表示するようにしたが、表示する運転内容の中での順序は固定順序でもかまわないし、コースボタンの表示順序を決めるための項目を入力するためのボタンに関する情報のみ表示するようにしてもかまわない。
【００５３】
以上のように、報知部１０８を構成する液晶タッチパネル１０２では、近接検知部１０４により特定のコースボタンへの近接入力が検知された場合に、該コースボタンに対応するコースに関する運転時間以外の運転時間と対局にあるような情報も運転内容して報知するので、使用者がコース選択をする際に別の運転内容も参考にしながら運転時間に関する情報をもとに機器のコースを選択できる表示装置とすることができる。
【００５４】
また、表示部である液晶タッチパネル１０２に表示されるコースボタンの表示順序を決めるための項目を入力する入力ボタンを備え、このボタンにより入力された項目に基づいて、液晶タッチパネル１０２に表示されるコースボタンの表示配列を並び替えることにより、使用者がコース選択をする際に最も参考としたい運転時間に関する情報をもとに使用者が優先する情報順に選択しやすい表示装置とすることができる。
【００５５】
（実施の形態３）
図７は、本発明の実施の形態３における表示装置２０１の構成を示すブロック図である。図１の構成に加えて、報知部１１０に、音声報知部１０９を備えている。
【００５６】
制御手段１０６が、液晶タッチパネル１０２にコースボタンを表示し、初期状態収集部１０３により、４つの各コースに従って運転した場合の運転開始から終了までに費やされる運転時間の伸縮に影響を与える情報を収集し、特定のコースボタンへの近接が検知された場合には、運転時間推定部１０７が、初期状態収集部１０３による初期状態収集が終了の有無に応じて運転時間を推定する動作、コースボタンへの接触検知により運転を開始する動作は、実施の形態１と同様である。
【００５７】
液晶タッチパネル１０２で、図示しない「報知方法」ボタン（本実施の形態では、「表示のみ」、「音声のみ」、「表示と音声」の３種類）を表示し、特定のコースボタンへの近接が検知された場合には、いずれかの報知方法ボタンが押されたことを、接触検知部１０５で接触により検知した場合は、該報知方法ボタンの示す報知方法によって報知する。音声であれば、例えば「運転時間５０分」などのように、表示内容を読み上げる。いずれの報知方法ボタンも押されていなければ、「表示と音声」の両方で報知する。
【００５８】
なお、本実施の形態では、いずれの報知方法ボタンも押されていなければ、「表示と音声」の両方で報知するようにしたが、「表示のみ」、「音声のみ」のいずれとしてもかまわないし、運転時間など主要情報は「表示」、その他の運転情報は「音声」としてもかまわない。
【００５９】
さらに、本実施の形態では、特定のコースボタンへの近接が検知された場合には、無条件に該コースボタンの運転情報を報知するようにしたが、報知可否、報知文字のサイズや言語、報知音量なども設定できるようにしてもかまわない。
【００６０】
さらに、本実施の形態では、表示以外の報知方法を音声報知として、表示内容をそのまま読み上げるようにしたが、触感など別の報知方法で報知してもかまわない。
【００６１】
以上のように、本発明の表示装置２０１の報知部１１０は、入力部により入力（本実施の形態では、液晶タッチパネル１０２への接触検知部１０５による接触検知）された項目に基づいて、報知方法を可変とすることにより、使用者がコース選択をする際に最も参考としたい運転時間に関する情報を表示だけでなく、音声などでも報知することでよりわかりやすい表示装置とすることができる。
【００６２】
なお、本実施の形態では、家電機器の具体例として洗濯機を挙げて説明したが、洗濯機に限らない。例えば、本発明にかかる表示装置は、炊飯器の運転時間の伸縮に影響を与える初期状態（例えば、重量、水温）、冷蔵庫の冷凍時間や製氷時間や飲み物などの冷却時間の伸縮に影響を与える初期状態（例えば、重量、室温）、エアコンなどの空調機器の設定温度への到達時間に影響を与える初期状態（例えば、室温、湿度）、加熱調理器の調理時間の伸縮に影響を与える初期状態（例えば、重量、庫内温度、調理対象物温度）をもとに、表示したコースボタンに対応するコースの運転時間を、使用者の近接により報知し、使用者がコース選択をする際に最も参考としたい運転時間に関する情報を提示でき、家庭内だけでなく業務用としても有用である。
【産業上の利用可能性】
【００６３】
以上のように、本発明にかかる表示装置は、使用者がコース選択をする際に最も参考としたい運転時間に関する情報を表示だけでなく、音声などでも報知することでよりわかりやすい表示装置とすることができる。
【符号の説明】
【００６４】
１０１、２０１  表示装置
１０２  液晶タッチパネル
１０３  初期状態収集部
１０４  近接検知部
１０５  接触検知部
１０６  制御手段
１０７  運転時間推定部
１０８、１１０  報知部
１０９  音声報知部
【図１】
2014215799.tif 000003
【図２】
2014215799.tif 000004
【図３】
2014215799.tif 000005
【図４】
2014215799.tif 000006
【図５】
2014215799.tif 000007
【図６】
2014215799.tif 000008
【図７】
2014215799.tif 000009